(57)【要約】【課題】背もたれ部を傾動させても人体との間で比較的位置ずれが生じ難いリクライニング椅子を提供する。【解決手段】本発明のリクライニング椅子は、略水平に配置されると共に着席者の臀部に当接する座部と、着席者の背中に当接する背もたれ部とを備え、この背もたれ部が座部に対して傾動可能に設けられるリクライニング椅子であって、傾動の中心軸が、使用状態で座部の座骨当接部位表面よりも上方、かつ背もたれ部の第５腰椎当接部位表面よりも前方に位置することを特徴とする。座部が、座部骨格部材と、座部クッション部材と、座部骨格部材から上方に突出する一対の支持部材とを有し、背もたれ部が、背もたれ部骨格部材と、背もたれ部クッション部材と、背もたれ部骨格部材から前方に突出する一対の接続部材とを有し、一対の支持部材と一対の接続部材とをそれぞれ相対角度を変更可能に接続し、中心軸を定める一対の傾動機構を備えるとよい。【選択図】図３
2017086466.tif 000002
【特許請求の範囲】
【請求項１】
略水平に配置されると共に着席者の臀部に当接する座部と、着席者の背中に当接する背もたれ部とを備え、この背もたれ部が座部に対して傾動可能に設けられるリクライニング椅子であって、
上記傾動の中心軸が、使用状態で座部の座骨当接部位表面よりも上方、かつ背もたれ部の第５腰椎当接部位表面よりも前方に位置することを特徴とするリクライニング椅子。
【請求項２】
上記座部が、板状又は枠状の座部骨格部材と、この座部骨格部材の上側に配設される座部クッション部材と、上記座部骨格部材の後端近傍左右方向両側部から上方に突出する一対の支持部材とを有し、
上記背もたれ部が、板状又は枠状の背もたれ部骨格部材と、この背もたれ部骨格部材の前側に配設される背もたれ部クッション部材と、上記背もたれ部骨格部材の左右方向両側部から前方に突出する一対の接続部材とを有し、
上記一対の支持部材と一対の接続部材とをそれぞれ相対角度を変更可能に接続し、上記中心軸を定める一対の傾動機構を備える請求項１に記載のリクライニング椅子。
【請求項３】
上記接続部材が、上記背もたれ部骨格部材の両側部から背もたれ部骨格部材の上下方向下側、左右方向外側かつ前後方向前側に延出する請求項２に記載のリクライニング椅子。
【請求項４】
上記接続部材の延出方向が、上記背もたれ部骨格部材の上下方向視で左右方向に対して３０°以上６０°以下、かつ左右方向視で上記背もたれ部骨格部材の上下方向に対して３０°以上６０°以下である請求項３に記載のリクライニング椅子。
【請求項５】
上記支持部材及び接続部材の少なくとも先端部が管状であり、上記傾動機構が支持部材及び接続部材の先端部に嵌合する請求項２、請求項３又は請求項４に記載のリクライニング椅子。
【請求項６】
上記背もたれ部の着席者に当接する側の面の下端近傍左右方向両側が前方に膨出し、この膨出部分に上記傾動機構の少なくとも一部が収容されている請求項２から請求項５のいずれか１項に記載のリクライニング椅子。
【請求項７】
上記背もたれ部を鉛直とした場合における上記中心軸と背もたれ部の第５腰椎当接部位表面との水平距離が１ｃｍ以上８ｃｍ以下である請求項２から請求項６のいずれか１項に記載のリクライニング椅子。
【発明の詳細な説明】
【技術分野】
【０００１】
本発明は、リクライニング椅子に関する。
【背景技術】
【０００２】
着席者の臀部に当接する座部と、着席者の背中に当接する背もたれ部とを有し、この背もたれ部が座部に対して傾動し、着席者の上半身の角度を変えられるリクライニング機能を有するリクライニング椅子が広く普及している。
【０００３】
このようなリクライニング椅子の多くは、座部及び背もたれ部の骨格となる２つのフレーム又は板が、角度調節可能な機構によって接続されており、２つのフレーム又は板にクッション性を有する部材が配設され、これらの構成要素が外皮によって覆われる（例えば特開平９−２１５５４８号公報参照）。
【０００４】
この結果、従来のリクライニング椅子は、背もたれ部の座部に対する傾動の軸が、座部の表面よりも下方かつ背もたれ部の表面よりも後方に配置される。これによって、背もたれ部を後方に傾動させるにしたがって座部の表面と背もたれ部の表面との距離が拡大していく。
【０００５】
一方、このようなリクライニング椅子に着席する人間は、骨の周りに筋肉及び皮膚組織を有している。このため、着席状態の人間の臀部及び腰部の筋肉及び皮膚組織は、骨の外側で引き伸ばされた状態となる。したがって、リクライニング椅子に着席した状態で背もたれ部を後方に傾動させてゆくと、これに合わせて脊椎が後方に傾斜し、臀部及び腰部の背面側の筋肉及び皮膚組織の伸長が緩和される。
【０００６】
つまり、従来のリクライニング椅子では、背もたれ部を後方に傾動させるにしたがって座部の表面と背もたれ部の表面との距離が拡大するのに対して、座部の表面と背もたれ部の表面に接している臀部と腰部との距離が縮小し、臀部及び腰部の少なくともいずれかが座部及び背もたれ部の表面で滑ることになる。
【０００７】
このため、従来のリクライニング椅子は、着席状態で背もたれ部を傾動させると人体との間で滑り（位置ずれ）を生じて、着席者に違和感を生じさせるという不都合がある。
【０００８】
また、椅子の座部及び背もたれ部の表面形状を立体的な形状とし、着席者の体を正確にサポートするよう設計された椅子も存在する。しかしながら、このような椅子に従来のリクライニング機構を採用すると、背もたれの傾動により座部の表面と背もたれ部の表面との距離が拡大することによって、座部又は背もたれ部の位置ずれにより人体を正確にサポートできなくなるという不都合を生じる。
【先行技術文献】
【特許文献】
【０００９】
【特許文献１】特開平９−２１５５４８号公報
【発明の概要】
【発明が解決しようとする課題】
【００１０】
上記不都合に鑑みて、本発明は、背もたれ部を傾動させても人体との間で比較的位置ずれが生じ難いリクライニング椅子を提供することを課題とする。
【課題を解決するための手段】
【００１１】
上記課題を解決するためになされた発明は、略水平に配置されると共に着席者の臀部に当接する座部と、着席者の背中に当接する背もたれ部とを備え、この背もたれ部が座部に対して傾動可能に設けられるリクライニング椅子であって、上記傾動の中心軸が、使用状態で座部の座骨当接部位表面よりも上方、かつ背もたれ部の第５腰椎当接部位表面よりも前方に位置することを特徴とするリクライニング椅子である。
【００１２】
当該リクライニング椅子は、背もたれ部の座部に対する傾動の中心軸が、使用状態で座部の座骨当接部位表面よりも上方、かつ背もたれ部の第５腰椎当接部位表面よりも前方に位置することによって、背もたれ部を後方に傾動させるにしたがって座骨当接部位と第５腰椎当接部位との距離が小さくなる。これは、人体の臀部と腰部との距離が腰を伸ばすにしたがって小さくなることに対応するため、当該リクライニング椅子は、背もたれ部を傾動させても人体との間で比較的位置ずれが生じ難い。なお、「略水平」とは、水平方向に対する傾斜角度が１５°以下、好ましくは１０°以下であることを意味する。また、「座骨当接部位」とは、着席者の臀部に当接する領域のうち座部を水平に配置した状態で高さが極小となる位置を意味し、「第５腰椎当接部位」とは、着席者の腰部に当接する領域のうち背もたれ部を水平に倒した状態で表面の高さが極小となる位置を意味する。
【００１３】
上記座部が、板状又は枠状の座部骨格部材と、この座部骨格部材の上側に配設される座部クッション部材と、上記座部骨格部材の後端近傍左右方向両側部から上方に突出する一対の支持部材とを有し、上記背もたれ部が、板状又は枠状の背もたれ部骨格部材と、この背もたれ部骨格部材の前側に配設される背もたれ部クッション部材と、上記背もたれ部骨格部材の左右方向両側部から前方に突出する一対の接続部材とを有し、上記一対の支持部材と一対の接続部材とをそれぞれ相対角度を変更可能に接続し、上記中心軸を定める一対の傾動機構を備えるとよい。このように、上記一対の支持部材と一対の接続部材とを一対の傾動機構によって接続する構成とすることによって、機械部品である傾動機構を着座者の体に干渉し難い位置に配置することが可能となる。なお、座部骨格部材の「後端近傍」とは、座部骨格部材の後端からの距離が座部骨格部材の前後長の３０％以下である範囲を意味する。
【００１４】
上記接続部材が、上記背もたれ部骨格部材の両側部から背もたれ部骨格部材の上下方向下側、左右方向外側かつ前後方向前側に延出するとよい。このように、上記接続部材が上記方向に延出することによって、背もたれ部が着席者の腰部を包み込むような形状となり、傾動機構を自然に着座者の邪魔にならない位置に配置することができる。なお、「背もたれ部骨格部材の上下方向」とは、背もたれ部骨格部材の座部に近い側を下、座部から遠い側を上とするものであって、絶対的な上下関係を限定するものではない。
【００１５】
上記接続部材の延出方向としては、上記背もたれ部骨格部材の上下方向視で左右方向に対して３０°以上６０°以下、かつ左右方向視で上記背もたれ部骨格部材の上下方向に対して３０°以上６０°以下が好ましい。このように、上記接続部材が上記方向に延出することによって、背もたれ部の形状を適切化しつつ、接続部材の機械的強度を向上することができる。
【００１６】
上記支持部材及び接続部材の少なくとも先端部が管状であり、上記傾動機構が支持部材及び接続部材の先端部に嵌合するとよい。このように、先端部が管状の支持部材及び接続部材に傾動機構を嵌合させることにより、構造が簡素化されるので、当該リクライニング椅子を比較的安価に提供することができる。
【００１７】
上記背もたれ部の着席者に当接する側の面の下端近傍左右方向両側が前方に膨出し、この膨出部分に上記傾動機構の少なくとも一部が収容されているとよい。このように、上記背もたれの膨出部分に上記傾動機構の少なくとも一部を収容することによって、硬い部材が着席者に当接することを防止することができる。なお、背もたれ部の「下端近傍」とは、背もたれ部の座部側の端部からの距離が背もたれ部の上下長さの３０％以下である範囲を意味する。
【００１８】
上記背もたれ部を鉛直とした場合における上記中心軸と背もたれ部の第５腰椎当接部位表面との水平距離としては、１ｃｍ以上８ｃｍ以下が好ましい。このように、上記背もたれ部を鉛直とした場合における上記中心軸と背もたれ部の第５腰椎当接部位表面との水平距離が上記範囲内であることによって、背もたれ部の傾動に伴う座骨当接部位と第５腰椎当接部位との距離の変化を着席者の臀部と腰部との距離の変化により近づけることができ、座部及び背もたれ部の人体に対する位置ずれをより確実に抑制できる。
【発明の効果】
【００１９】
上述のように、本発明のリクライニング椅子は、背もたれ部を傾動させても人体との間で比較的位置ずれが生じ難い。
【図面の簡単な説明】
【００２０】
【図１】本発明の一実施形態のリクライニング椅子を示す模式的斜視図である。
【図２】図１のリクライニング椅子の模式的側面図である。
【図３】図１のリクライニング椅子の座部及び背もたれ部の骨格部材を示す模式的側面図である。
【図４】図３の背もたれ部骨格部材及びヘッドレスト部骨格部材を示す模式的正面図である。
【発明を実施するための形態】
【００２１】
以下、適宜図面を参照しつつ、本発明の実施の形態を詳説する。
【００２２】
［リクライニング椅子］
図１及び図２に示す本発明の一実施形態のリクライニング椅子は、いわゆる高座椅子として使用されるものである。
【００２３】
当該リクライニング椅子は、略水平に配置されると共に着席者の臀部に当接する座部１と、着席者の背中に当接する背もたれ部２とを備え、この背もたれ部２が座部１に対して傾動可能に設けられている。
【００２４】
また、当該リクライニング椅子は、座部１と背もたれ部２との傾動の中心軸を定める一対の傾動機構３を備える。さらに、当該リクライニング椅子は、上記座部１を床面から間隔を空けて支持する脚部４を備える。また、当該リクライニング椅子は、背もたれ部２の上端に前後方向に搖動可能に連設されるヘッドレスト部５をさらに備える。
【００２５】
当該リクライニング椅子における上記傾動の中心軸は、使用状態で座部１の座骨当接部位６の表面よりも上方、かつ背もたれ部２の第５腰椎当接部位７の表面よりも前方に位置する。なお、座骨当接部位６は、座部１の表面のうち着席者の臀部に当接する領域の１つ又は２つの凹部の底であり、座部１を水平に配置した状態で高さが極小となる１つ又は２つの位置である。また、第５腰椎当接部位７は、背もたれ部２の表面のうち着席者の腰部に当接する領域の凹部の底であり、背もたれ部２を水平に配置した状態で高さが極小となる１つの位置である。
【００２６】
座部１を水平とした場合における上記傾動の中心軸と座骨当接部位６の表面との鉛直距離の下限としては、２ｃｍが好ましく、３ｃｍがより好ましい。一方、上記傾動の中心軸と座骨当接部位６の表面との鉛直距離の上限としては、１０ｃｍが好ましく、８ｃｍがより好ましい。上記傾動の中心軸と座骨当接部位６の表面との鉛直距離が上記下限に満たない場合、背もたれ部２の後方への傾動に伴う座骨当接部位６と第５腰椎当接部位７との距離の縮小が不十分となることにより着席者に違和感を与えるおそれがある。逆に、上記傾動の中心軸と座骨当接部位６の表面との鉛直距離が上記上限を超える場合、背もたれ部２の後方への傾動に伴う座骨当接部位６と第５腰椎当接部位７との距離の縮小が過大となることにより着席者に違和感を与えるおそれがある。
【００２７】
背もたれ部２を鉛直とした場合における上記傾動の中心軸と第５腰椎当接部位７の表面との水平距離（後述する背もたれ部骨格部材１４に垂直な方向の距離）の下限としては、１ｃｍが好ましく、２ｃｍがより好ましい。一方、上記傾動の中心軸と第５腰椎当接部位７の表面との水平距離の上限としては、８ｃｍが好ましく、６ｃｍがより好ましい。上記傾動の中心軸と第５腰椎当接部位７の表面との水平距離が上記下限に満たない場合、背もたれ部２の後方への傾動に伴う座骨当接部位６と第５腰椎当接部位７との距離の縮小が不十分となることにより着席者に違和感を与えるおそれがある。逆に、上記傾動の中心軸と第５腰椎当接部位７の表面との水平距離が上記上限を超える場合、背もたれ部２の後方への傾動に伴う座骨当接部位６と第５腰椎当接部位７との距離の縮小が過大となることにより着席者に違和感を与えるおそれがある。
【００２８】
＜座部＞
座部１は、図３に示すように、座部骨格部材８と、この座部骨格部材８の上側に配設される座部クッション部材９と、上記座部骨格部材８の後端近傍左右方向両側部から上方に突出する一対の支持部材１０とを有する。
【００２９】
（座部骨格部材）
座部骨格部材８は、座部１の強度を担保する構造材料であり、板状又は枠状に形成され、好ましくは図示するように板状に形成される。
【００３０】
座部骨格部材８を形成する材料としては、十分な強度を有するものであればよく、例えば木材、樹脂、金属等を用いることができる。
【００３１】
座部骨格部材８を板状に形成する場合、中でも木材、特に安価で強度に優れる合板が好適に用いられる。木材の平均厚さとしては、例えば１０ｍｍ以上２５ｍｍ以下とすることができる。
【００３２】
座部骨格部材８を枠状に形成する場合、中でも金属、特に安価で強度に優れる鉄又はステンレス製のパイプが好適に用いられる。パイプの平均径としては、例えば１０ｍｍ以上２５ｍｍ以下とすることができる。
【００３３】
座部骨格部材８の外形形状としては、典型的には略長方形とされる。座部骨格部材８の座骨当接部位６の位置における座部骨格部材８の幅としては、例えば４０ｃｍ以上６０ｃｍ以下とすることができる。
【００３４】
座部骨格部材８が枠状である場合、後述する座部クッション部材９を確実に支持するために、座部骨格部材８にシート状、帯状又はメッシュ状の部材を張り渡してもよい。このような部材としては、ポロプロピレン製バンドを用いることができる。
【００３５】
（座部クッション部材）
座部クッション部材９は、例えば発泡ウレタン等のクッション性を有する材料から形成される。また、座部クッション部材９はクッション性を有する芯材の外面をシート状の材料で被覆してもよい。
【００３６】
この座部クッション部材９の上側の表面形状は、平坦であってもよいが、着席者の臀部を受け入れる凹部が形成されることが好ましく、左右の臀部及び大腿部を受け入れるような複数の凹部が形成されてもよい。
【００３７】
この座部クッション部材９の平均厚さとしては、例えば３ｃｍ以上１０ｃｍ以下とすることができる。また、座部クッション部材９の座骨当接部位６における厚さ、つまり座部クッション部材９の厚さの極小値としては、例えば１ｃｍ以上５ｃｍ以下とすることができる。
【００３８】
（支持部材）
支持部材１０は、座部骨格部材８の後端近傍の左右方向両側部に堅固に固定される。この支持部材１０は、座部クッション部材９を上下に貫通するように設けられることが好ましい。
【００３９】
支持部材１０の材質としては、強度に優れる金属が好ましい。上記金属としては、例えば鉄、ステンレス鋼等が好適に用いられる。
【００４０】
また、支持部材１０は、少なくとも先端部が、傾動機構３の一端が嵌合できる管状に形成されることが好ましい。具体的には、支持部材１０は、例えばねじ等によって座部骨格部材８の上面両側部に固定される板状の固定片１１と、この固定片１１に略垂直に突設される管状の支持本体１２と、この支持本体１２の側面と固定片１１とを接続する略三角形板状のリム１３とを有するものとすることができる。
【００４１】
＜背もたれ部＞
背もたれ部２は、図３に示すように、背もたれ部骨格部材１４と、この背もたれ部骨格部材１４の前側に配設される背もたれ部クッション部材１５と、上記背もたれ部骨格部材１４の左右方向両側部から前方に突出する一対の接続部材１６とを有する。
【００４２】
背もたれ部２において、上記背もたれ部骨格部材１４の一部分と接続部材１６とが一体に形成されることが好ましい。背もたれ部骨格部材１４と接続部材１６とを一体に形成すれば、当該リクライニング椅子の背もたれ部２に対する許容荷重を比較的容易に大きくすることができる。
【００４３】
背もたれ部２は、着席者に当接する側の面の下端近傍左右方向両側に、前方に膨出する膨出部分２１をそれぞれ有する。この膨出部分２１は、着席者を当該リクライニング椅子の左右方向中央に案内すると共に、内部に傾動機構３の一部を収容して、傾動機構３が着席者に直接触れることを防止する。
【００４４】
（背もたれ部骨格部材）
背もたれ部骨格部材１４は、背もたれ部２の強度を担保する構造材料であり、板状又は枠状に形成され、好ましくは図４に示すように板状に形成される。
【００４５】
背もたれ部骨格部材１４の外形形状としては、典型的には略長方形とされる。背もたれ部骨格部材１４の第５腰椎当接部位７の位置における背もたれ部骨格部材１４の幅としては、例えば３０ｃｍ以上６０ｃｍ以下とすることができる。ヘッドレスト部５を有する場合の背もたれ部骨格部材１４の上下方向の高さとしては、例えば４０ｃｍ以上６０ｃｍ以下とすることができる。
【００４６】
背もたれ部骨格部材１４を形成する材料としては、十分な強度を有するものであればよく、例えば木材、樹脂、金属等を用いることができる。
【００４７】
背もたれ部骨格部材１４を板状に形成する場合、中でも木材、特に安価で強度に優れる合板が好適に用いられる。木材の平均厚さとしては、例えば１０ｍｍ以上２５ｍｍ以下とすることができる。
【００４８】
背もたれ部骨格部材１４を枠状に形成する場合、中でも金属、特に安価で強度に優れる鉄又はステンレス製のパイプが好適に用いられる。パイプの平均径としては、例えば１０ｍｍ以上２５ｍｍ以下とすることができる。
【００４９】
パイプによって形成される背もたれ部骨格部材１４は、枠体の両側部分を構成すると共に、後述する接続部材１６と一体に形成され、かつ上端にヘッドレスト部５が接続される一対の側枠材１７と、この一対の側枠材１７を接続し、枠体の上側部分を構成する上枠材１８と、上記一対の側枠材１７を接続し、枠体の上側部分を構成する下枠材１９とを有するものとすることができる。このように、背もたれ部骨格部材１４が、接続部材１６と一体に形成される一対の側枠材１７を上枠材１８及び下枠材１９によって接続した構造を有することによって、背もたれ部骨格部材１４と接続部材１６との境界部分の強度を大きくすることができる。
【００５０】
また、パイプによって形成される一対の側枠材１７の外周面に上枠材１８を接続し、一対の側枠材１７の上端を上方に向かって開放することにより、この一対の側枠材１７の上端にヘッドレスト部５を接続するための結合部材２０を嵌合することができる。この結合部材２０を角度調節可能に屈曲できるものとすることにより、背もたれ部２に対してヘッドレスト部５を傾動可能とすることができる。
【００５１】
また、背もたれ部骨格部材１４が枠状である場合、後述する背もたれ部クッション部材１５を確実に支持するために、背もたれ部骨格部材１４にシート状、帯状又はメッシュ状の部材を張り渡してもよい。このように背もたれ部骨格部材１４に張り渡される部材としては、例えばポリプロピレン製バンド等が挙げられる。
【００５２】
（座部クッション部材）
背もたれ部クッション部材１５は、例えば発泡ウレタン等のクッション性を有する材料から形成される。また、背もたれ部クッション部材１５はクッション性を有する芯材の外面をシート状の材料で被覆してもよい。
【００５３】
この背もたれ部クッション部材１５の前側の表面形状は、平坦であってもよいが、着席者を左右方向中央に安定させるよう、上記膨出部分２１を形成し、かつ全体的に背もたれ部骨格部材１４の上下方向に垂直な断面において凹状となるよう形成されることが好ましい。また、背もたれ部クッション部材１５は、背もたれ部骨格部材１４の上下方向においても着席者の腰部、特に第４腰椎から仙骨を受け入れる凹部が形成されることが好ましい。また、背もたれ部クッション部材１５の上側の表面形状は第１又は第２腰椎に当接する部分が突出したいわゆるランバーサポートを有するものであってもよい。
【００５４】
背もたれ部クッション部材１５は、背もたれ部骨格部材１４の上下方向下端に、傾動機構３を受け入れ、この傾動機構３の支持部材１０に嵌合する一端側を突出させる開口を有するとよい。このように、背もたれ部クッション部材１５の内側に傾動機構３の一部分を収容することによって、着席者に傾動機構３の硬い部材が当接することを防止できる。また、背もたれ部クッション部材１５の下端から傾動機構３の一端側を突出させることにより、背もたれ部クッション部材１５が背もたれ部２の座部１に対する傾動を阻害し難くなる。
【００５５】
（接続部材）
接続部材１６は、背もたれ部骨格部材１４の左右方向両側部に堅固に固定され、好ましくは上述のように、背もたれ部骨格部材１４を構成する部材の一部と一体に形成される。
【００５６】
接続部材１６は、背もたれ部骨格部材１４の両側部から背もたれ部骨格部材１４の上下方向下側、左右方向外側かつ前後方向前側に延出することが好ましい。接続部材１６が背もたれ部骨格部材１４からこのような方向に延出することによって、着席者の腰部と干渉せず、背もたれ部２を着席者にフィットさせられる好適な形状とすることができる。
【００５７】
接続部材１６の材質としては、強度に優れる金属が好ましい。上記金属としては、例えば鉄、ステンレス鋼等が好適に用いられる。
【００５８】
また、接続部材１６は、少なくとも先端部が、傾動機構３の一端が嵌合できる管状に形成されることが好ましい。
【００５９】
背もたれ部骨格部材１４の上下方向視での接続部材１６の延出方向の左右方向に対する傾斜角度の下限としては、３０°が好ましく、４０°がより好ましい。一方、背もたれ部骨格部材１４の上下方向視での接続部材１６の延出方向の左右方向に対する傾斜角度の上限としては、６０°が好ましく、５０°がより好ましい。背もたれ部骨格部材１４の上下方向視での接続部材１６の延出方向の左右方向に対する傾斜角度が上記下限に満たない場合、接続部材１６の前方への突出量が不十分となるおそれや、当該リクライニング椅子の左右方向の幅が不必要に大きくなるおそれがある。逆に、背もたれ部骨格部材１４の上下方向視での接続部材１６の延出方向の左右方向に対する傾斜角度が上記上限を超える場合、接続部材１６が着席者の腰部に干渉し易くなるおそれがある。
【００６０】
また、左右方向視での接続部材１６の延出方向の背もたれ部骨格部材１４の上下方向に対する傾斜角度の下限としては、３０°が好ましく、４０°がより好ましい。一方、左右方向視での接続部材１６の延出方向の背もたれ部骨格部材１４の上下方向に対する傾斜角度の上限としては、６０°が好ましく、５０°がより好ましい。左右方向視での接続部材１６の延出方向の背もたれ部骨格部材１４の上下方向に対する傾斜角度が上記下限に満たない場合、接続部材１６の前方への突出量が不十分となるおそれや、当該リクライニング椅子の左右方向の幅が不必要に大きくなるおそれがある。逆に、左右方向視での接続部材１６の延出方向の背もたれ部骨格部材１４の上下方向に対する傾斜角度が上記上限を超える場合、背もたれ部骨格部材１４との接続部に荷重が集中し易くなるおそれがある。
【００６１】
接続部材１６の背もたれ部骨格部材１４からの突出長さ（延長）の下限としては、１０ｃｍが好ましく、１５ｃｍがより好ましい。一方、接続部材１６の背もたれ部骨格部材１４からの突出長さの上限としては、３０ｃｍが好ましく、２５ｃｍがより好ましい。接続部材１６の背もたれ部骨格部材１４からの突出長さが上記下限に満たない場合、背もたれ部２の後方への傾動に伴う座骨当接部位６と第５腰椎当接部位７との距離の縮小が不十分となるおそれや、接続部材１６が着席者に当接した場合に違和感を与えるおそれがある。逆に、接続部材１６の背もたれ部骨格部材１４からの突出長さが上記上限を超える場合、背もたれ部２の後方への傾動に伴う座骨当接部位６と第５腰椎当接部位７との距離の縮小が過大となるおそれや、接続部材１６が着席者に当接し易くなることで着席者に違和感を与えるおそれがある。
【００６２】
＜傾動機構＞
一対の傾動機構３は、座部１の一対の支持部材１０と背もたれ部２の一対の接続部材１６とを傾動可能に接続する。傾動機構３は、着席者の背中から受ける荷重を支持するために、支持部材１０と接続部材１６の間の角度を保持するラチェット構造を有することが好ましい。
【００６３】
このようなラチェット構造を有する傾動機構３としては、公知の座椅子に用いられるものを使用することができる。
【００６４】
＜脚部＞
脚部４は、床面に載置され、座部１を略水平に、好ましくは高さ調節可能に支持する。また、脚部４は、図示するように、座部１の両側上方に配置される肘掛２２を有してもよい。この脚部４の構成としては、周知の構成を適用することができる。
【００６５】
一例として、座部１を高さ調節可能に支持する構造としては、脚部４に設けた複数の取付孔のいずれかを貫通する固定部材（例えばボルト等）を座部１又は座部１の下面を支持する梁の両端に係合させる周知の構造を適用することができる。
【００６６】
＜ヘッドレスト部＞
ヘッドレスト部５は、結合部材２０を介して背もたれ部２の背もたれ部骨格部材１４の上端に接続されるヘッドレスト部骨格部材２３と、このヘッドレスト部骨格部材２３の前側に配設されるヘッドレスト部クッション部材２４とを有するものとすることができる。
【００６７】
ヘッドレスト部骨格部材２３は、板状、枠状、アーチ型又は門型（図４参照）とすることができる。
【００６８】
ヘッドレスト部クッション部材２４は、独立して形成してもよいが、図示するように、背もたれ部２の背もたれ部クッション部材１５と一体に形成してもよい。
【００６９】
また、背もたれ部２とヘッドレスト部５とを接続する結合部材２０としては、傾動機構３と同様の構造を備えるものを用いることができる。
【００７０】
＜利点＞
当該リクライニング椅子は、背もたれ部３の座部１に対する傾動の中心軸が、使用状態で座部１の座骨当接部位６表面よりも上方、かつ背もたれ部の第５腰椎当接部位７表面よりも前方に位置する。これにより、当該リクライニング椅子は、人体の腰を伸ばすと臀部と腰部との距離が小さくなることに対応して、背もたれ部２を後方に傾動させるにしたがって座骨当接部位と第５腰椎当接部位との距離を小さくするので、背もたれ部２を傾動させても人体との間で比較的位置ずれが生じ難い。
【００７１】
［その他の実施形態］
上記実施形態は、本発明の構成を限定するものではない。したがって、上記実施形態は、本明細書の記載及び技術常識に基づいて上記実施形態各部の構成要素の省略、置換又は追加が可能であり、それらは全て本発明の範囲に属するものと解釈されるべきである。
【００７２】
当該リクライニング椅子において、座部及び背もたれ部は、クッション部材を有しない全体が硬質のものであってもよい。
【００７３】
また、当該リクライニング椅子において、接続部材は、真直ぐ背もたれ部の前方に向かって突出してもよい。
【００７４】
当該リクライニング椅子は、脚部の高さがより大きい通常の椅子であってもよく、脚部を備えない座椅子であってもよい。脚部の形状も任意である。
【００７５】
当該リクライニング椅子は、ヘッドレスト部が背もたれ部に対して固定されたものであってもよく、ヘッドレスト部を備えていないものであってもよい。
【産業上の利用可能性】
【００７６】
当該リクライニング椅子は、特に用途を限定されず、広く利用することができる。
【符号の説明】
【００７７】
１  座部
２  背もたれ部
３  傾動機構
４  脚部
５  ヘッドレスト部
６  座骨当接部位
７  第５腰椎当接部位
８  座部骨格部材
９  座部クッション部材
１０  支持部材
１１  固定片
１２  支持本体
１３  リム
１４  背もたれ部骨格部材
１５  背もたれ部クッション部材
１６  接続部材
１７  側枠材
１８  上枠材
１９  下枠材
２０  結合部材
２１  膨出部分
２２  肘掛
２３  ヘッドレスト部骨格部材
２４  ヘッドレスト部クッション部材
【図１】
2017086466.tif 000003
【図２】
2017086466.tif 000004
【図３】
2017086466.tif 000005
【図４】
2017086466.tif 000006